【手続補正書】
【提出日】平成27年4月23日(2015.4.23)
【手続補正１】
【補正対象書類名】特許請求の範囲
【補正対象項目名】全文
【補正方法】変更
【補正の内容】
【特許請求の範囲】
【請求項１】
装置本体と、
搬送されてきた用紙が通過する第１搬送路と、
前記第１搬送路を通過したのち搬送方向を反転させられた用紙が前記第１搬送路に再度合流するまでに通過する搬送路であって前記搬送路の下流側に湾曲部を備えた第２搬送路と、
前記第２搬送路の一方の案内面を構成する第１案内部材と、
前記第２搬送路における前記湾曲部において、前記第１案内部材とは他方の案内面を構成する第２案内部材と、
前記第１搬送路のうち、前記第２搬送路との合流点よりも上流側の上流側搬送路の一方の案内面を構成する第３案内部材と、
前記上流側搬送路における、前記第３案内部材とは他方の案内面を構成する第４案内部材と、を備え、
前記第１案内部材および前記第３案内部材は、用紙を案内する案内姿勢と、前記案内姿勢から回転して前記案内面を開放する開放姿勢との間で回転可能に支持されると共に、前記開放姿勢では、前記案内姿勢にあるときよりも前記第１案内部材と前記第２案内部材、および前記第３案内部材と前記第４案内部材との間隔が広がるように構成されていることを特徴とする用紙搬送装置。
【請求項２】
前記案内姿勢において、前記第１案内部材の回転中心は、前記第３案内部材の回転中心よりも前記湾曲部から離れた位置に設けられていることを特徴とする請求項１記載の用紙搬送装置。
【請求項３】
前記第３案内部材は、前記第２部材と一体の案内部材であることを特徴とする請求項２記載の用紙搬送装置。
【請求項４】
前記用紙搬送装置の外形の一部を形成する開閉扉を備え、
前記第１案内部材は、前記開閉扉と一体に設けられていて前記開閉扉の開放動作に従い前記案内姿勢から前記開放姿勢へと回転し、
前記第３案内部材は、前記開閉扉の開放動作に伴って自重により前記案内姿勢から前記開放姿勢へと回転するものであることを特徴とする請求項1乃至３のいずれか一項に記載の用紙搬送装置。
【請求項５】
装置本体と、
搬送されてきた用紙が通過する第１搬送路と、前記第１搬送路を通過したのち搬送方向を反転させられた用紙が前記第１搬送路に再度合流するまでに通過する搬送路であって前記搬送路の下流側に湾曲部を備えた第２搬送路と、を有する用紙搬送部と、前記第１搬送路を搬送される用紙に画像を形成する画像形成部と、を有し、
前記用紙搬送部が、
前記第２搬送路の一方の案内面を構成する第１案内部材と、
前記第２搬送路における前記湾曲部において、前記第１案内部材とは他方の案内面を構成する第２案内部材と、
前記第１搬送路のうちの、前記第２搬送路との合流点よりも上流側の上流側搬送路の一方の案内面を構成する第３案内部材と、を備え、
前記第１案内部材および前記第３案内部材は、用紙を案内する案内姿勢と、前記案内姿勢から回転して前記案内面を開放する開放姿勢との間で回転可能に支持される
ことを特徴とする画像形成装置。
【請求項６】
前記第３案内部材は、前記第２案内部材と一体の案内部材であることを特徴とする請求項５記載の画像形成装置。
【請求項７】
前記用紙搬送装置の外形の一部を形成する開閉扉を備え、
前記第１案内部材は、前記開閉扉と一体に設けられていて前記開閉扉の開放動作に従い前記案内姿勢から前記開放姿勢へと回転し、
前記第３案内部材は、前記開閉扉の開放動作に伴って自重により前記案内姿勢から前記開放姿勢へと回転するものであることを特徴とする請求項５又は６に記載の画像形成装置。
【請求項８】
装置本体と、
搬送されてきた用紙が通過する第1搬送路と、
前記第1搬送路を通過したのち搬送方向を反転させられた用紙が前記第1搬送路に再度合流するまでに通過する第２搬送路と、
前記第２搬送路の一方の案内面を構成する第１案内部材と、
前記第２搬送路において、前記第１案内部材とは他方の案内面を構成する第２案内部材と、を備え、
前記第２案内部材は前記第1搬送路のうちの、前記第２搬送路との合流点よりも上流側の上流側搬送路の一方の案内面を構成し、
前記第１案内部材は、用紙を案内する案内姿勢と、前記案内姿勢から回転して前記案内面を開放する開放姿勢との間で回転可能に支持されると共に、前記開放姿勢では、前記案内姿勢にあるときよりも前記第２案内部材との間隔が広がるように構成され、
前記第２案内部材は、前記第１案内部材の、前記案内姿勢から前記開放姿勢への回転に伴って回転して前記上流側搬送路の一方の案内面を開放する
ことを特徴とする用紙搬送装置。
【請求項９】
前記第２案内部材は、前記第１案内部材とともに前記第２搬送路を構成する案内姿勢と、前記案内姿勢から回転した開放姿勢との間で回転可能に支持されるものであって、
前記第１案内部材の回転中心は、前記第２案内部材の回転中心よりも前記湾曲部から離れた位置に設けられており、
前記第１案内部材および前記第２案内部材がそれぞれ前記開放姿勢に回転したときに回転軸の位置の違いから、前記第１案内部材と前記第２案内部材との間隔を広げるものであることを特徴とする請求項８記載の用紙搬送装置。
【請求項１０】
前記用紙搬送装置は、前記用紙搬送装置の外形の一部を形成する開閉扉を備え、
前記第１案内部材は、前記開閉扉と一体に設けられていて前記開閉扉の開放動作に従い前記案内姿勢から前記開放姿勢へと回転し、
前記第２案内部材は、前記開閉扉の開放動作に伴って自重により前記案内姿勢から前記開放姿勢へと回転するものであることを特徴とする請求項９記載の用紙搬送装置。
【請求項１１】
前記第２案内部材は、前記開閉扉の開放動作に伴って、前記第２搬送路の前記一方の案内面と、前記上流側搬送路の前記一方の案内面との双方を開放するものであることを特徴とする請求項９又は１０記載の用紙搬送装置。
【請求項１２】
装置本体と、
第１搬送路上を搬送中の用紙に画像を形成する画像形成部と、
前記第１搬送路上を搬送させ、前記画像形成部で第１面に画像を形成させた用紙の搬送方向を反転し、さらに、前記第１搬送路に再度合流するまでに通過する搬送路である第２搬送路上を搬送させ、前記画像形成部よりも上流側において前記第１搬送路に合流させて再度前記第１搬送路上を搬送させることで前記画像形成部に前記用紙の第２面にも画像を形成させる用紙搬送部を備え、
前記用紙搬送部が、
前記第２搬送路の一方の案内面を構成する第１案内部材と、
前記第２搬送路において、前記第１案内部材とは他方の案内面を構成する第２案内部材と、を備え、
前記第２案内部材は前記第1搬送路のうちの、前記第２搬送路との合流点よりも上流側の上流側搬送路の一方の案内面を構成し、
前記第１案内部材は、用紙を案内する案内姿勢と、前記案内姿勢から回転して前記案内面を開放する開放姿勢との間で回転可能に支持されると共に、前記開放姿勢では、前記案内姿勢にあるときよりも前記第２案内部材との間隔が広がるように構成され、
前記第２案内部材は、前記第１案内部材の、前記案内姿勢から前記開放姿勢への回転に伴って回転して前記上流側搬送路の一方の案内面を開放する
ことを特徴とする画像形成装置。
【手続補正２】
【補正対象書類名】明細書
【補正対象項目名】０００６
【補正方法】変更
【補正の内容】
【０００６】
請求項１の用紙搬送装置は、
装置本体と、
搬送されてきた用紙が通過する第１搬送路と、
前記第１搬送路を通過したのち搬送方向を反転させられた用紙が前記第１搬送路に再度合流するまでに通過する搬送路であって前記搬送路の下流側に湾曲部を備えた第２搬送路と、
前記第２搬送路の一方の案内面を構成する第１案内部材と、
前記第２搬送路における前記湾曲部において、前記第１案内部材とは他方の案内面を構成する第２案内部材と、
前記第１搬送路のうち、前記第２搬送路との合流点よりも上流側の上流側搬送路の一方の案内面を構成する第３案内部材と、
前記上流側搬送路における、前記第３案内部材とは他方の案内面を構成する第４案内部材と、を備え、
前記第１案内部材および前記第３案内部材は、用紙を案内する案内姿勢と、前記案内姿勢から回転して前記案内面を開放する開放姿勢との間で回転可能に支持されると共に、前記開放姿勢では、前記案内姿勢にあるときよりも前記第１案内部材と前記第２案内部材、および前記第３案内部材と前記第４案内部材との間隔が広がるように構成されていることを特徴とする。
【手続補正３】
【補正対象書類名】明細書
【補正対象項目名】０００７
【補正方法】変更
【補正の内容】
【０００７】
また、請求項２の用紙搬送装置は、請求項１の用紙搬送装置であって、前記案内姿勢において、前記第１案内部材の回転中心は、前記第３案内部材の回転中心よりも前記湾曲部から離れた位置に設けられていることを特徴とする。
【手続補正４】
【補正対象書類名】明細書
【補正対象項目名】０００８
【補正方法】変更
【補正の内容】
【０００８】
また、請求項３の用紙搬送装置は、請求項２の用紙搬送装置であって、前記第３案内部材は、前記第２部材と一体の案内部材であることを特徴とする。
【手続補正５】
【補正対象書類名】明細書
【補正対象項目名】０００９
【補正方法】変更
【補正の内容】
【０００９】
請求項４の用紙搬送装置は、請求項１乃至３のいずれか一項に記載の用紙搬送装置であって、
前記用紙搬送装置の外形の一部を形成する開閉扉を備え、
前記第１案内部材は、前記開閉扉と一体に設けられていて前記開閉扉の開放動作に従い前記案内姿勢から前記開放姿勢へと回転し、
前記第３案内部材は、前記開閉扉の開放動作に伴って自重により前記案内姿勢から前記開放姿勢へと回転するものであることを特徴とする。
【手続補正６】
【補正対象書類名】明細書
【補正対象項目名】００１０
【補正方法】変更
【補正の内容】
【００１０】
請求項５の画像形成装置は、
装置本体と、
搬送されてきた用紙が通過する第１搬送路と、前記第１搬送路を通過したのち搬送方向を反転させられた用紙が前記第１搬送路に再度合流するまでに通過する搬送路であって前記搬送路の下流側に湾曲部を備えた第２搬送路と、を有する用紙搬送部と、前記第１搬送路を搬送される用紙に画像を形成する画像形成部と、を有し、
前記用紙搬送部が、
前記第２搬送路の一方の案内面を構成する第１案内部材と、
前記第２搬送路における前記湾曲部において、前記第１案内部材とは他方の案内面を構成する第２案内部材と、
前記第１搬送路のうちの、前記第２搬送路との合流点よりも上流側の上流側搬送路の一方の案内面を構成する第３案内部材と、を備え、
前記第１案内部材および前記第３案内部材は、用紙を案内する案内姿勢と、前記案内姿勢から回転して前記案内面を開放する開放姿勢との間で回転可能に支持される
ことを特徴とする。
【手続補正７】
【補正対象書類名】明細書
【補正対象項目名】００１１
【補正方法】変更
【補正の内容】
【００１１】
請求項６の画像形成装置は、請求項５の画像形成装置において、前記第３案内部材は、  前記第２案内部材と一体の案内部材であることを特徴とする。
請求項７の画像形成装置は、請求項５又は６記載の画像形成装置において、
前記用紙搬送装置の外形の一部を形成する開閉扉を備え、
前記第１案内部材は、前記開閉扉と一体に設けられていて前記開閉扉の開放動作に従い前記案内姿勢から前記開放姿勢へと回転し、
前記第３案内部材は、前記開閉扉の開放動作に伴って自重により前記案内姿勢から前記開放姿勢へと回転するものであることを特徴とする。
請求項８の用紙搬送装置は、
装置本体と、
搬送されてきた用紙が通過する第1搬送路と、
前記第1搬送路を通過したのち搬送方向を反転させられた用紙が前記第1搬送路に再度合流するまでに通過する第２搬送路と、
前記第２搬送路の一方の案内面を構成する第１案内部材と、
前記第２搬送路において、前記第１案内部材とは他方の案内面を構成する第２案内部材と、を備え、
前記第２案内部材は前記第1搬送路のうちの、前記第２搬送路との合流点よりも上流側の上流側搬送路の一方の案内面を構成し、
前記第１案内部材は、用紙を案内する案内姿勢と、前記案内姿勢から回転して前記案内面を開放する開放姿勢との間で回転可能に支持されると共に、前記開放姿勢では、前記案内姿勢にあるときよりも前記第２案内部材との間隔が広がるように構成され、
前記第２案内部材は、前記第１案内部材の、前記案内姿勢から前記開放姿勢への回転に伴って回転して前記上流側搬送路の一方の案内面を開放する
ことを特徴とする。
請求項９の用紙搬送装置は、請求項８の用紙搬送装置において、
前記第２案内部材は、前記第１案内部材とともに前記第２搬送路を構成する案内姿勢と、前記案内姿勢から回転した開放姿勢との間で回転可能に支持されるものであって、
前記第１案内部材の回転中心は、前記第２案内部材の回転中心よりも前記湾曲部から離れた位置に設けられており、
前記第１案内部材および前記第２案内部材がそれぞれ前記開放姿勢に回転したときに回転軸の位置の違いから、前記第１案内部材と前記第２案内部材との間隔を広げるものであることを特徴とする。
請求項１０の用紙搬送装置は、請求項９の用紙搬送装置において、
前記用紙搬送装置は、前記用紙搬送装置の外形の一部を形成する開閉扉を備え、
前記第１案内部材は、前記開閉扉と一体に設けられていて前記開閉扉の開放動作に従い前記案内姿勢から前記開放姿勢へと回転し、
前記第２案内部材は、前記開閉扉の開放動作に伴って自重により前記案内姿勢から前記開放姿勢へと回転するものであることを特徴とする。
請求項１１の用紙搬送装置は、請求項９又は１０記載の用紙搬送装置において、
前記第２案内部材は、前記開閉扉の開放動作に伴って、前記第２搬送路の前記一方の案内面と、前記上流側搬送路の前記一方の案内面との双方を開放するものであることを特徴とする。
請求項１２の画像形成装置は、
装置本体と、
第１搬送路上を搬送中の用紙に画像を形成する画像形成部と、
前記第１搬送路上を搬送させ、前記画像形成部で第１面に画像を形成させた用紙の搬送方向を反転し、さらに、前記第１搬送路に再度合流するまでに通過する搬送路である第２搬送路上を搬送させ、前記画像形成部よりも上流側において前記第１搬送路に合流させて再度前記第１搬送路上を搬送させることで前記画像形成部に前記用紙の第２面にも画像を形成させる用紙搬送部を備え、
前記用紙搬送部が、
前記第２搬送路の一方の案内面を構成する第１案内部材と、
前記第２搬送路において、前記第１案内部材とは他方の案内面を構成する第２案内部材と、を備え、
前記第２案内部材は前記第1搬送路のうちの、前記第２搬送路との合流点よりも上流側の上流側搬送路の一方の案内面を構成し、
前記第１案内部材は、用紙を案内する案内姿勢と、前記案内姿勢から回転して前記案内面を開放する開放姿勢との間で回転可能に支持されると共に、前記開放姿勢では、前記案内姿勢にあるときよりも前記第２案内部材との間隔が広がるように構成され、
前記第２案内部材は、前記第１案内部材の、前記案内姿勢から前記開放姿勢への回転に伴って回転して前記上流側搬送路の一方の案内面を開放する
ことを特徴とする。
【手続補正８】
【補正対象書類名】明細書
【補正対象項目名】００１２
【補正方法】変更
【補正の内容】
【００１２】
請求項１の用紙搬送装置および請求項５の画像形成装置によれば、第３案内部材が、用紙を案内する案内姿勢と案内面を開放する開放姿勢との間で回転可能に支持されていない場合と比較して、上流側搬送路上で詰まった用紙を引き抜く際の引抜き抵抗が抑えられる。
【手続補正９】
【補正対象書類名】明細書
【補正対象項目名】００１３
【補正方法】変更
【補正の内容】
【００１３】
請求項２の用紙搬送装置によれば、第１案内部材および第３案内部材の両方が開放姿勢に回転したときに、第１案内部材と第３案内部材との間隔を広げることができる。
【手続補正１０】
【補正対象書類名】明細書
【補正対象項目名】００１４
【補正方法】変更
【補正の内容】
【００１４】
請求項３の用紙搬送装置および請求項６の画像形成装置によれば、第３案内部材と第２案内部材とが別体の案内部材である場合と比較して、第２搬送路と上流側搬送路の双方についての開放が簡単な構造で行われる。
【手続補正１１】
【補正対象書類名】明細書
【補正対象項目名】００１５
【補正方法】変更
【補正の内容】
【００１５】
請求項４の用紙搬送装置および請求項７の画像形成装置によれば、第３案内部材が自重以外の回転機構等により回転する場合と比べて、構造が簡単である。
【手続補正１２】
【補正対象書類名】明細書
【補正対象項目名】００１６
【補正方法】変更
【補正の内容】
【００１６】
請求項８の用紙搬送装置および請求項１２の画像形成装置によれば、第２案内部材が上流側搬送路の一方の案内面を開放しない場合と比較して、この上流側搬送路上で詰まった用紙を引き抜く際の引抜き抵抗が抑えられる。
請求項９の用紙搬送装置によれば、例えば、回転時に第１案内部材を第２案内部材から離れる方向に移動させる機構を設ける場合と比べて、構造が簡単である。
請求項１０の用紙搬送装置によれば、第２案内部材が自重以外の回転機構等により回転する場合と比べて、構造が簡単である。
請求項１１の用紙搬送装置によれば、第２案内部材が、第２搬送路の一方の案内面と上流側搬送路の一方の案内面との双方を開放しない場合と比べて、第２搬送路と上流側搬送路の双方についての開放が簡単な構造で行われる。